(57)【要約】      （修正有）【課題】構造物の屋上等へ資材の運搬を減らすことができ、横行レールを簡単に設置することができる横行式作業装置及び作業方法を提供すること。【解決手段】構造物Ｂの外壁部より突き出し取り付けた索条支持部材１１の索条支持部を介して構造物Ｂからレール用ワイヤ１２をエンドレスワインダ１３を介して吊り下げ、レール用ワイヤ１２を横行レール１４に連結し吊り上げて設置し、この吊り下げられた横行レール１４に沿ってトロリー２５，２５Ａを走行可能とし、トロリー２５，１５Ａから吊り下げられる昇降用ワイヤ２６を介して作業ゴンドラ２７を昇降可能とする。 横行レールを固定せずに吊り下げた状態で設置することで、横行レールの地上での組立が可能となり、屋上等へ資材の運搬を極力減らし簡単に仮設でき、屋上のパラペット等の形状にかかわらずレール用索条の長さを調整することで、連続した横行レールを設置することができる。【選択図】  図１
2006233486.tif 000002
【特許請求の範囲】
【請求項１】
構造物の外壁部より突き出して取り付けられる索条支持部を備える索条支持部材と、
この索条支持部材の索条支持部を介して構造物から吊り下げられるレール用索条を巻き取り・繰り出しするレール用索条巻き取り・繰り出し手段と、
このレール用索条巻き取り・繰り出し手段で巻き取り繰り出しされる前記レール用索条に連結され任意の位置に吊り下げ設置される横行レールと、
この吊り下げられた横行レールに沿って走行可能に設けられ作業装置を吊り下げるトロリーと、
を備えてなることを特徴とする横行式作業装置。
【請求項２】
前記トロリーに吊り下げられる作業装置を、陽重装置で構成したことを特徴とする請求項1記載の横行式作業装置。
【請求項３】
前記トロリーに吊り下げられる作業装置を、前記トロリーから吊り下げられる昇降用索条を介して昇降可能に設けられる壁面作業台で構成したことを特徴とする請求項1記載の横行式作業装置。
【請求項４】
前記吊り下げ設置される横行レールを、２本設置し、一方のトロリーに陽重装置を吊り下げるとともに、他方のトロリーに昇降用索条を介して昇降可能に設けられる壁面作業台を吊り下げて構成したことを特徴とする請求項１記載の横行式作業装置。
【請求項５】
前記レール用索条の位置を調整して前記横行レールと前記外壁面との距離を調整するレール位置調整手段を設けてなることを特徴とする請求項1〜４のいずれかに記載の横行式作業装置。
【請求項６】
前記レール用索条巻き取り・繰り出し手段に代え、あるいは併設して前記任意の位置に吊り下げられた前記横行レールの位置を保持するレール用索条保持手段を設けてなることを特徴とする請求項１〜５のいずれかに記載の横行式作業装置。
【請求項７】
前記レール用索条巻き取り・繰り出し手段を、巻き掛けた索条の摩擦力を利用するエンドレスワインダで構成したことを特徴とする請求項１〜６のいずれかに記載の横行式作業装置。
【請求項８】
前記横行レールを、連結部の一方に他方の側面位置および上面位置をそれぞれ規制する側面規制部材と上面規制部材とを設けるとともに、この上面位置規制部材同士を接続ピンで連結可能に構成してなることを特徴とする請求項１〜７のいずれかに記載の横行式作業装置。
【請求項９】
前記索条支持部材に、前記レール用索条で吊り下げる前記横行レールの設置高さを調整する連結架台を設けてなることを特徴とする請求項１〜８のいずれかに記載の横行式作業装置。
【請求項１０】
構造物に仮設する横行レールに沿って走行可能なトロリーに作業装置を吊り下げて作業するに際し、
地上で前記横行レールを連結した後、構造物より突き出して取り付けられる索条支持部材を介して構造物から吊り下げられた複数本のレール用索条を前記横行レールに連結し、これらレール用索条を巻き取り・繰り出し手段で巻き取り、任意の位置に前記横行レールを吊り下げ状態で設置して作業するようにしたことを特徴とする横行式作業装置による作業方法。
【請求項１１】
前記横行レールに沿って走行可能な前記トロリーに、昇降用索条を吊り下げ、この昇降用索条を介して昇降可能な壁面作業台を昇降させて作業するようにしたことを特徴とする請求項１０記載の横行式作業装置による作業方法。
【請求項１２】
前記横行レールを２本設置し、一方の横行レールを走行する前記トロリーに陽重装置を吊り下げ、この陽重装置で吊り上げたものを、他方の横行レール走行する前記トロリーから吊り下げた昇降用索条を介して昇降可能な壁面作業台で受け取って作業するようにしたことを特徴とする請求項１０記載の横行式作業装置による作業方法。
【請求項１３】
任意の位置に吊り下げ状態で設置した前記横行レールを、前記レール用索条巻き取り・繰り出し手段に代え、あるいは併設するレール用索条保持手段で設置位置を保持するようにしたことを特徴とする請求項１０〜１２のいずれかに記載の横行式作業装置による作業方法。
【請求項１４】
前記レール用索条にレール位置調整手段を設けて前記横行レールと前記外壁面との距離を調整するようにしたことを特徴とする請求項１０〜１３のいずれかに記載の横行式作業装置による作業方法。
【発明の詳細な説明】
【技術分野】
【０００１】
この発明は横行式作業装置およびこれによる作業方法に関し、上下の昇降移動と左右の横行移動を行ってゴンドラなどの作業装置で作業を行う場合の横行レールやゴンドラなどと組み合わせて左右の横行移動を行うトロリーを介してクレーンなどの作業装置を設けて作業を行う場合の横行レールを簡単かつ構造物の形状によらずに設置できるようにし、屋上などへの資材の運搬を極力削減できるようにしたものである。
【背景技術】
【０００２】
従来から、ビル、船舶、発電所、タンク、煙突、そして橋梁などの構造物の壁面の構築や補修などの高所作業を安全かつ能率的に行うため、仮設足場に代え、ゴンドラなどの壁面作業台を用いることも多く、上下の昇降だけでなく左右の横行を組み合わせて移動させることで広範囲の作業を行うようにした横行式の壁面作業装置がある。
【０００３】
この横行式の壁面作業装置では、構造物の上端部である屋上などに横行レールを仮設する必要があり、例えば特許文献１では、図１５に示すように、構造物Ｂの上端部であるパラペットＰなどにレール支持台１を取り付けて内側に位置させたアーム１ａ上に横行レール２を載せて取り付け、レール支持台１のアーム１ａを外側に回動させて構造物Ｂから所定距離外側に突き出し、横行レール２を仮設するようにしている。
【特許文献１】特開平２‐３０８５１号公報
【発明の開示】
【発明が解決しようとする課題】
【０００４】
ところが、このような横行レール２を構造物Ｂの屋上のパラペットＰ部分に仮設する場合には、構造物Ｂの屋上に多数のレール支持台１、横行レール２などを運搬したのち、レール支持台１をパラペットＰに所定間隔で固定するとともに、横行レール２，２同士を連結して各レール支持台２に取り付けることから、資材の運搬が大変であり、横行レ―ル２の仮設に多大な時間と費用がかかるという問題がある。
【０００５】
また、構造物の屋上のパラペットの高さがペントハウスなどで一定でない部分があると、連続した横行レールを仮設することができず、分割した状態で仮設しなければならず、壁面への作業も分割されるため、作業能率が低下するという問題がある。
【０００６】
さらに、横行レールをレール支持台に固定して構造物の壁面から一定の位置でゴンドラなどの壁面作業台が昇降することから、構造物の構造によって壁面に凹凸があると、凸部と干渉したり、凸部との干渉を避けるようにすると、凹部に対して作業ができなくなるなどの凹凸に対する適応性に問題がある。
【０００７】
この発明は、かかる従来技術の課題に鑑みてなされたもので、構造物の屋上などへの資材の運搬を極力減らすことができ、横行レールを簡単に設置することができる横行式作業装置およびこれによる作業方法を提供しようとするものである。
【０００８】
また、この発明は、作業壁面に凹凸があっても所定の間隔となるよう移動して作業することができる横行式作業装置およびこれによる作業方法を提供しようとするものである。
【課題を解決するための手段】
【０００９】
上記従来技術が有する課題を解決するため、この発明の請求項１記載の横行式作業装置は、構造物の外壁部より突き出して取り付けられる索条支持部を備える索条支持部材と、この索条支持部材の索条支持部を介して構造物から吊り下げられるレール用索条を巻き取り・繰り出しするレール用索条巻き取り・繰り出し手段と、このレール用索条巻き取り・繰り出し手段で巻き取り繰り出しされる前記レール用索条に連結され任意の位置に吊り下げ設置される横行レールと、この吊り下げられた横行レールに沿って走行可能に設けられ作業装置を吊り下げるトロリーとを備えてなることを特徴とするものである。
【００１０】
この横行式作業装置によれば、構造物の外壁部より突き出して取り付けた索条支持部材の索条支持部を介して構造物からレール用索条巻き取り・繰り出し手段を備えたレール用索条を吊り下げ、このレール用索条に横行レールを連結して任意の位置に吊り下げ設置し、この吊り下げられた横行レールに沿ってトロリーを走行可能とし、このトロリーに作業装置を吊り下げるようにしており、横行レールを固定せずに吊り下げた状態で設置することで、横行レールの地上での組立を可能とし、屋上などへの資材の運搬を極力減らして簡単に仮設でき、しかも、屋上のパラペットなどの形状にかかわらずレール用索条の長さを調整することで、連続した横行レールを設置できるようにしている。
【００１１】
さらに、この発明の請求項２記載の横行式作業装置は、請求項1記載の構成に加え、前記トロリーに吊り下げられる作業装置を、陽重装置で構成したことを特徴とするものである。
【００１２】
この横行式作業装置によれば、トロリーに吊り下げられる作業装置を陽重装置で構成しており、陽重装置を横行させる横行レールを固定せずに吊り下げた状態で設置することで、横行レールの地上での組立を可能とし、屋上などへの資材の運搬を極力減らして簡単に仮設でき、しかも、屋上のパラペットなどの形状にかかわらずレール用索条の長さを調整することで、連続した横行レールを設置して横行しながら陽重作業ができ、例えば仮設足場との組み合わせで効率的な作業ができるようになる。
【００１３】
また、この発明の請求項３記載の横行式作業装置は、請求項１記載の構成に加え、前記トロリーに吊り下げられる作業装置を、前記トロリーから吊り下げられる昇降用索条を介して昇降可能に設けられる壁面作業台で構成したことを特徴とするものである。
【００１４】
この横行式作業装置によれば、トロリーに吊り下げられる作業装置を、前記トロリーから吊り下げられる昇降用索条を介して昇降可能に設けられる壁面作業台で構成しており、壁面作業台を横行させる横行レールを固定せずに吊り下げた状態で設置することで、横行レールの地上での組立を可能とし、屋上などへの資材の運搬を極力減らして簡単に仮設でき、しかも、屋上のパラペットなどの形状にかかわらずレール用索条の長さを調整することで、連続した横行レールを設置して横行しながら昇降する、例えばゴンドラなどの壁面作業台で作業できるようにしている。
【００１５】
さらに、この発明の請求項４記載の横行式作業装置は、請求項１記載の構成に加え、前記吊り下げ設置される横行レールを、２本設置し、一方のトロリーに陽重装置を吊り下げるとともに、他方のトロリーに昇降用索条を介して昇降可能に設けられる壁面作業台を吊り下げて構成したことを特徴とするものである。
【００１６】
この横行式作業装置によれば、吊り下げ設置される横行レールを２本設置し、一方に陽重装置を、他方に昇降用索条を介して昇降可能に設けられる壁面作業台を吊り下げるようにしており、陽重装置で吊り上げたものを壁面作業台で受け取って作業できるようになり、広範囲の作業を効率的に行うことができるようになる。
【００１７】
また、この発明の請求項５記載の横行式作業装置は、請求項1〜４のいずれかに記載の構成に加え、前記レール用索条の位置を調整して前記横行レールと前記外壁面との距離を調整するレール位置調整手段を設けてなることを特徴とするものである。
【００１８】
この横行式作業装置によれば、前記レール用索条の位置を調整して前記横行レールと前記外壁面との距離を調整するレール位置調整手段を設けるようにしており、レール用索条を引き寄せたり、引き離すようにして横行レールの壁面からの距離を調整でき、外壁面の凹凸への適用性を向上して能率的に作業を行うことができるようにしている。
【００１９】
さらに、この発明の請求項６記載の横行式作業装置は、請求項１〜５のいずれかに記載の構成に加え、前記レール用索条巻き取り・繰り出し手段に代え、あるいは併設して前記任意の位置に吊り下げられた前記横行レールの位置を保持するレール用索条保持手段を設けてなることを特徴とするものである。
【００２０】
この横行式作業装置によれば、前記レール用索条巻き取り・繰り出し手段に代え、あるいは併設して前記任意の位置に吊り下げられた前記横行レールの位置を保持するレール用索条保持手段を設けるようにしており、所定位置に吊り下げた状態をエンドレスワインダなどのレール用索条巻き取り・繰り出し手段に代えて設置するレバーブロックなどのレール用索条保持手段、あるいはレール用索条巻き取り・繰り出し手段と併設したレール用索条保持手段で横行レールの位置を保持でき、必要最小限のレール用索条巻き取り・繰り出し手段を用意するだけで仮設できるようにしている。
【００２１】
また、この発明の請求項７記載の横行式作業装置は、請求項１〜６のいずれかに記載の構成に加え、前記レール用索条巻き取り・繰り出し手段を、巻き掛けた索条の摩擦力を利用するエンドレスワインダで構成したことを特徴とするものである。
【００２２】
この横行式作業装置によれば、前記レール用索条巻き取り・繰り出し手段を、巻き掛けた索条の摩擦力を利用するエンドレスワインダで構成するようにしており、レール用索条を必要長さとするだけで構造物の高さに応じた容量の巻き取りドラムを備えた巻き取り・繰り出し手段などを用意する必要がなく、構造物の大きさなどにかかわらず簡単に装置を構成することができるようになる。
【００２３】
さらに、この発明の請求項８記載の横行式作業装置は、請求項１〜７のいずれかに記載の構成に加え、前記横行レールを、連結部の一方に他方の側面位置および上面位置をそれぞれ規制する側面規制部材と上面規制部材とを設けるとともに、この上面位置規制部材同士を接続ピンで連結可能に構成してなることを特徴とするものである。
【００２４】
この横行式作業装置によれば、前記横行レールを、連結部の一方に他方の側面位置および上面位置をそれぞれ規制する側面規制部材と上面規制部材とを設けるとともに、この上面位置規制部材同士を接続ピンで連結可能に構成してあり、横行レールの連結部の位置合わせが互いの側面規制部材と上面規制部材に横行レールの端部を当てるようにするだけででき、連結も接続ピンを差し込むだけで簡単にでき、横行レールの組立分解が簡単にできるようにしている。
【００２５】
また、この発明の請求項９記載の横行式作業装置は、請求項１〜８のいずれかに記載の構成に加え、前記索条支持部材に、前記レール用索条で吊り下げる前記横行レールの設置高さを調整する連結架台を設けてなることを特徴とするものである。
【００２６】
この横行式作業装置によれば、前記索条支持部材に、前記レール用索条で吊り下げる前記横行レールの設置高さを調整する連結架台を設けるようにしており、索条支持部材に連結架台を一体あるいは別体として設けることで高さを調整でき、横行レールを吊り下げることによる設置位置が低くなることを解消し、必要高さまで上昇できるようにしている。
【００２７】
さらに、この発明の請求項１０記載の横行式作業台による作業方法は、構造物に仮設する横行レールに沿って走行可能なトロリーに作業装置を吊り下げて作業するに際し、地上で前記横行レールを連結した後、構造物より突き出して取り付けられる索条支持部材を介して構造物から吊り下げられた複数本のレール用索条を前記横行レールに連結し、これらレール用索条を巻き取り・繰り出し手段で巻き取り、任意の位置に前記横行レールを吊り下げ状態で設置して作業するようにしたことを特徴とするものである。
【００２８】
この横行式作業装置による作業方法によれば、構造物の外壁部より突き出して取り付けた索条支持部材の索条支持部を介して構造物からレール用索条巻き取り・繰り出し手段を備えたレール用索条を吊り下げ、このレール用索条に地上で組み立てた横行レールを連結して任意の位置に吊り下げ設置した横行レールに沿ってトロリーを走行可能とし、このトロリーに作業装置を吊り下げるようにしており、横行レールを固定せずに吊り下げた状態で設置することで、横行レールの地上での組立を可能とし、屋上などへの資材の運搬を極力減らして簡単に仮設でき、しかも、屋上のパラペットなどの形状にかかわらずレール用索条の長さを調整することで、連続した横行レールが設置できるようになる。
【００２９】
また、この発明の請求項１１記載の横行式作業台による作業方法は、請求項１０記載の構成に加え、前記横行レールに沿って走行可能な前記トロリーに、昇降用索条を吊り下げ、この昇降用索条を介して昇降可能な壁面作業台を昇降させて作業するようにしたことを特徴とするものである。
【００３０】
この横行式作業装置による作業方法によれば、横行レールに沿って走行可能な前記トロリーに、昇降用索条を吊り下げ、この昇降用索条を介して昇降可能な壁面作業台を昇降させて作業するようにしており、吊り下げて設置した横行レールに沿って、例えばゴンドラなどの壁面作業台を横行させるとともに、昇降させて作業を行うことができ、効率的に作業することができるようになる。
【００３１】
さらに、この発明の請求項１２記載の横行式作業台による作業方法は、請求項１０記載の構成に加え、前記横行レールを２本設置し、一方の横行レールを走行する前記トロリーに陽重装置を吊り下げ、この陽重装置で吊り上げたものを、他方の横行レール走行する前記トロリーから吊り下げた昇降用索条を介して昇降可能な壁面作業台で受け取って作業するようにしたことを特徴とするものである。
【００３２】
この横行式作業装置による作業方法によれば、横行レールを２本設置し、一方の横行レールを走行する前記トロリーに陽重装置を吊り下げ、この陽重装置で吊り上げたものを、他方の横行レール走行する前記トロリーから吊り下げた昇降用索条を介して昇降可能な壁面作業台で受け取って作業するようにしており、陽重装置で吊り上げたものを、例えばゴンドラなどの壁面作業台で受け取って作業できるようになり、外壁材を吊り上げてそれを取り付ける作業などに利用することで、広範囲の作業を効率的に行うことができるようになる。
【００３３】
また、この発明の請求項１３記載の横行式作業台による作業方法は、請求項１０〜１２のいずれかに記載の構成に加え、任意の位置に吊り下げ状態で設置した前記横行レールを、前記レール用索条巻き取り・繰り出し手段に代え、あるいは併設するレール用索条保持手段で設置位置を保持するようにしたことを特徴とするものである。
【００３４】
この横行式作業装置による作業方法によれば、任意の位置に吊り下げ状態で設置した前記横行レールを、前記レール用索条巻き取り・繰り出し手段に代え、あるいは併設するレール用索条保持手段で設置位置を保持するようにしており、必要最小限のレール用索条巻き取り・繰り出し手段を用意するだけで横行レールを上昇し、レール用索条保持手段で仮設できるようになる。
【００３５】
さらに、この発明の請求項１４記載の横行式作業台による作業方法は、請求項１０〜１３のいずれかに記載の構成に加え、前記レール用索条にレール位置調整手段を設けて前記横行レールと前記外壁面との距離を調整するようにしたことを特徴とするものである。
【００３６】
この横行式作業台による作業方法によれば、前記レール用索条にレール位置調整手段を設けて前記横行レールと前記外壁面との距離を調整するようにしており、レール用索条を引き寄せたり、引き離すようにして横行レールの壁面からの距離を調整でき、外壁面の凹凸への適用性を向上して能率的に作業ができるようになる。
【発明の効果】
【００３７】
この発明の請求項１記載の横行式作業装置によれば、構造物の外壁部より突き出して取り付けた索条支持部材の索条支持部を介して構造物からレール用索条巻き取り・繰り出し手段を備えたレール用索条を吊り下げ、このレール用索条に横行レールを連結して任意の位置に吊り下げ設置し、この吊り下げられた横行レールに沿ってトロリーを走行可能とし、このトロリーに作業装置を吊り下げるようにしたので、横行レールを固定せずに吊り下げた状態で設置することで、横行レールを地上で組み立てることが可能となり、屋上などへの資材の運搬を極力減らして簡単に仮設でき、しかも、屋上のパラペットなどの形状にかかわらずレール用索条の長さを調整することで、連続した横行レールを設置することができる。
【００３８】
さらに、この発明の請求項２記載の横行式作業装置によれば、トロリーに吊り下げられる作業装置を陽重装置で構成したので、陽重装置を横行させる横行レールを固定せずに吊り下げた状態で設置することで、横行レールを地上で組み立てることが可能となり、屋上などへの資材の運搬を極力減らして簡単に仮設でき、しかも、屋上のパラペットなどの形状にかかわらずレール用索条の長さを調整することで、連続した横行レールを設置して横行しながら陽重作業を行うことができ、例えば仮設足場との組合せで効率的な作業を行うことができる。
【００３９】
また、この発明の請求項３記載の横行式作業装置によれば、トロリーに吊り下げられる作業装置を、前記トロリーから吊り下げられる昇降用索条を介して昇降可能に設けられる壁面作業台で構成したので、壁面作業台を横行させる横行レールを固定せずに吊り下げた状態で設置することで、横行レールを地上で組み立てることが可能となり、屋上などへの資材の運搬を極力減らして簡単に仮設でき、しかも、屋上のパラペットなどの形状にかかわらずレール用索条の長さを調整することで、連続した横行レールを設置して横行しながら昇降する、例えばゴンドラなどの壁面作業台で作業することができる。
【００４０】
さらに、この発明の請求項４記載の横行式作業装置によれば、吊り下げ設置される横行レールを２本設置し、一方に陽重装置を、他方に昇降用索条を介して昇降可能に設けられる壁面作業台を吊り下げるようにしたので、陽重装置で吊り上げたものを壁面作業台で受け取って作業を行うことができ、広範囲の作業を効率的に行うことができる。
【００４１】
また、この発明の請求項５記載の横行式作業装置によれば、前記レール用索条の位置を調整して前記横行レールと前記外壁面との距離を調整するレール位置調整手段を設けるようにしたので、レール用索条を引き寄せたり、引き離すようにして横行レールの壁面からの距離を調整することができ、外壁面の凹凸への適用性を向上して能率的に作業を行うことができる。
【００４２】
さらに、この発明の請求項６記載の横行式作業装置によれば、前記レール用索条巻き取り・繰り出し手段に代え、あるいは併設して前記任意の位置に吊り下げられた前記横行レールの位置を保持するレール用索条保持手段を設けるようにしたので、所定位置に吊り下げた状態をエンドレスワインダなどのレール用索条巻き取り・繰り出し手段に代えて設置するレバーブロックなどのレール用索条保持手段、あるいはレール用索条巻き取り・繰り出し手段と併設したレール用索条保持手段で横行レールの位置を保持することができ、必要最小限のレール用索条巻き取り・繰り出し手段を用意するだけで横行レールを仮設することができる。
【００４３】
また、この発明の請求項７記載の横行式作業装置によれば、前記レール用索条巻き取り・繰り出し手段を、巻き掛けた索条の摩擦力を利用するエンドレスワインダで構成するようにしたので、レール用索条を必要長さとするだけで構造物の高さに応じた容量の巻き取りドラムを備えた巻き取り・繰り出し手段などを用意する必要がなく、構造物の大きさなどにかかわらず簡単に横行式作業装置を構成することができる。
【００４４】
さらに、この発明の請求項８記載の横行式作業装置によれば、前記横行レールを、連結部の一方に他方の側面位置および上面位置をそれぞれ規制する側面規制部材と上面規制部材とを設けるとともに、この上面位置規制部材同士を接続ピンで連結可能に構成したので、横行レールの連結部の位置合わせが互いの側面規制部材と上面規制部材に横行レールの端部を当てるだけででき、連結も接続ピンを差し込むだけで簡単にでき、横行レールの組立分解を簡単に行うことができる。
【００４５】
また、この発明の請求項９記載の横行式作業装置によれば、前記索条支持部材に、前記レール用索条で吊り下げる前記横行レールの設置高さを調整する連結架台を設けるようにしたので、索条支持部材に連結架台を一体あるいは別体に設けることで高さを調整することができ、横行レールを吊り下げることによる設置位置が低くなる問題を解消し、必要な高さまで上昇することができる。
【００４６】
さらに、この発明の請求項１０記載の横行式作業台による作業方法によれば、構造物の外壁部より突き出して取り付けた索条支持部材の索条支持部を介して構造物からレール用索条巻き取り・繰り出し手段を備えたレール用索条を吊り下げ、このレール用索条に地上で組み立てた横行レールを連結して任意の位置に吊り下げ設置した横行レールに沿ってトロリーを走行可能とし、このトロリーに作業装置を吊り下げるようにしたので、横行レールを固定せずに吊り下げた状態で設置することで、横行レールを地上で組み立てることが可能となり、屋上などへの資材の運搬を極力減らして簡単に仮設でき、しかも、屋上のパラペットなどの形状にかかわらずレール用索条の長さを調整することで、連続した横行レールを設置することができる。
【００４７】
また、この発明の請求項１１記載の横行式作業台による作業方法によれば、横行レールに沿って走行可能な前記トロリーに、昇降用索条を吊り下げ、この昇降用索条を介して昇降可能な壁面作業台を昇降させて作業するようにしたので、吊り下げて設置した横行レールに沿って壁面作業台を横行させるとともに、昇降させて作業を行うことができ、効率的に作業することができる。
【００４８】
さらに、この発明の請求項１２記載の横行式作業台による作業方法によれば、横行レールを２本設置し、一方の横行レールを走行する前記トロリーに陽重装置を吊り下げ、この陽重装置で吊り上げたものを、他方の横行レール走行する前記トロリーから吊り下げた昇降用索条を介して昇降可能な壁面作業台で受け取って作業するようにしたので、陽重装置で吊り上げたものを壁面作業台で受け取って作業することができ、外壁材を吊り上げてそれを取り付ける作業などに利用することで、広範囲の作業を効率的に行うことができる。
【００４９】
また、この発明の請求項１３記載の横行式作業台による作業方法によれば、任意の位置に吊り下げ状態で設置した前記横行レールを、前記レール用索条巻き取り・繰り出し手段に代え、あるいは併設するレール用索条保持手段で設置位置を保持するようにしたので、必要最小限のレール用索条巻き取り・繰り出し手段を用意するだけで横行レールを上昇し、レール用索条保持手段で仮設することができる。
【００５０】
さらに、この発明の請求項１４記載の横行式作業台による作業方法によれば、前記レール用索条にレール位置調整手段を設けて前記横行レールと前記外壁面との距離を調整するようにしたので、レール用索条を引き寄せたり、引き離すようにして横行レールの壁面からの距離を調整でき、外壁面の凹凸への適用性を向上して能率的に作業することができる。
【発明を実施するための最良の形態】
【００５１】
以下、この発明の一実施の形態について、図面に基づき詳細に説明する。  
図１および図２は、この発明の横行式作業装置を高所作業用のゴンドラに適用した一実施の形態にかかり、図１は全体の概略斜視図、図２は拡大した概略正面図である。
【００５２】
この横行式作業装置１０では、作業装置の一つである壁面作業台を構成する作業用ゴンドラ２７を上下に昇降することと、仮設する横行レール１４のトロリー２５，２５Ａによって左右に横行させることを組み合わせて作業を行うものであり、これまでと異なり、横行レール１４を地上で組み立て、これをエンドレスワインダ１３などのレール用索条巻き取り・繰り出し手段を介してレール用索条１２で吊り上げるようにし、横行レール１４を吊り下げた状態で設置して作業を行うようにするものである。
【００５３】
この横行式作業装置１０では、構造物ＢのパラペットＰなどに溶接構造の索条支持部材１１が設けられ、支持板１１ａがパラペットＰに載せられて水平のアーム部１１ｂが構造物Ｂの外壁面より外側に突き出す一方、支持板１１ａの基端部の支柱部１１ｃが上方に突き出すようになっており、水平アーム１１ｂの中間部に索条支持部となるシーブ１１ｄが取り付けられるとともに、支柱部１１ｃの上端部にもシーブ１１ｅが取り付けてある。  
そして、この横行式作業装置１０では、例えば図１に示すように、構造物ＢのパラペットＰなどに高さの異なる部分があっても、同一構造の索条支持部材１１が用いられ、所定間隔に設置する。
【００５４】
このような所定間隔で設置される索条支持部材１１のうち、すくなくとも両端部に配置される２つの索条支持部材１１には、レール用索条としてレール用ワイヤ１２が２つのシーブ１１ｄ,１１ｅを介して先端部が地上まで吊り下げられ、基端部がレール用索条巻取り・繰り出し手段を構成するエンドレスワインダ１３に巻きかけられて巻取り・繰り出しが可能としてあり、このエンドレスワインダ１３は構造物Ｂに固定治具１３ａおよび固定ワイヤ１３ｂで支持してある。
【００５５】
これにより、地上で連結して組み立てた横行レール１４に２本のレール用ワイヤ１２を連結して、エンドレスワインダ１３で巻き上げることで、連結状態の横行レール１４を任意の位置まで上昇させて吊り下げることができる。
【００５６】
なお、連結状態の横行レール１４の長さによっては、索条支持部材１１のうち、両端部の２箇所だけでなく、さらにレール用ワイヤ１２およびこれを巻き取り・繰り出すエンドレスワインダ１３を増設するようにしても良い。
【００５７】
また、レール用ワイヤ１２の巻取り・繰り出し手段としてシーブに巻きかけたレール用ワイヤ１２との摩擦力を利用してワイヤの引き込みと繰り出しを行うエンドレスワインダを用いることで、横行レール１４の昇降高さに応じた容量のドラム式の巻き取り装置などを用意することなく、必要長さのレール用ワイヤを用意するだけで良いが、巻き取り・繰り出し装置としては、エンドレスワインダに限らず、ドラム式の巻取り・巻戻し装置など他の形式のものを用いるようにしても良い。
【００５８】
一方、レール用ワイヤ１２およびエンドレスワインダ１３を設けない索条支持部材１１には、ワイヤの長さを調整するレール用索条保持手段としてレバーブロック１５が設けてあり、このレバーブロック１５は構造物Ｂに固定治具１３ａおよび固定ワイヤ１３ｂで支持され、地上で予め横行レール１４に取り付けたレール支持ワイヤ１５ａを引き上げて２つのシーブ１１ｄ,１１ｅを介してレバーブロック１５に連結できるようにし、レバーブロック１５でレール支持ワイヤ１５の長さを調整して横行レール１４を水平に吊り下げた状態で所定間隔ごとに支持できるようにしてある。
【００５９】
なお、横行レール１４を所定位置にまで上昇させた後に、エンドレスワインダ１３に代えてレール用索条保持手段であるレバーブロック１５で支持するようにしても良く、こうすることでレール用索条巻き取り・繰り出し手段であるエンドレスワインダ１３をほかの工事などに活用することができる。
【００６０】
また、横行レール１４を吊り下げた状態に保持するレール用索条保持手段は、レバーブロックに限らず、ワイヤを所定長さに保持固定できるものであれば、他の形式のワイヤ固定装置でも良い。  
次に、地上で組み立てられて吊り上げた状態に保持して使用される横行レール１４は、図３に示すように、所定長さのアルミ製の断面Ｈ型の型材が用いられ、水平な上部フランジ１４ａに一定間隔で、吊りピース取付孔１４ｂが形成されるとともに、垂直なウエブ１４ｃの両端部に連結用孔１４ｄが形成してある。
【００６１】
通常の連結には、連結治具１６が用いられ、図４に示すように、上部フランジ１４ａの上面に当てる水平当て板１６ａおよび上部フランジ１４ａの下面およびウエブ１４ｃの表面に当てられるＬ字状の２枚の側面当て板１６ｂを備え、吊りピース取付孔１４ｂおよび連結用孔１４ｄを利用してボルト・ナットで締め付けることで連結する。
【００６２】
また、横行レール１４の端部には、横行するトロリーの脱落を防止するため、図５に示すように、２つのエンドストッパ１７が取り付けられるようになっており、ウエブ当て板１７ａと端面閉塞板１７ｂとでＬ字状に形成され、ウエブ１４ｃの両側にウエブ当て板１７ａをそれぞれボルト・ナットで締め付けて上下のフランジとウエブ１４ｃとで形成される２つの断面コ字状の端部を端面閉塞板１７ｂで塞ぐようにする。
【００６３】
さらに、横行レール１４を吊り上げるため２種類の吊りピース１８,１９が用いられ、連結部吊りピース１８は、図６に示すように、連結部の水平当て板１６ａに代えて用いるもので、連結用水平当て板１８ａに交差して吊り孔１８ｂを備えた吊り上げ板１８ｃが設けられ、この吊り上げ板１８ｃの両側にレール長手方向に沿って補強板１８ｄが設けられてそれぞれが溶接されて構成されており、連結用水平当て板１８ａを横行レール１４,１４の連結部をまたぐように配置して用いる。
【００６４】
また、吊りピース１９は、一本の横行レール１４の途中に設けて吊るためのもので、図７に示すように、水平当て板１９ａと、これに交差する吊り孔１９ｂを備えた吊り上げ板１９ｂと、補強板１９ｄとが溶接されて構成されており、水平当て板１９ａを横行レール１４の中間部の吊りピース取付孔１４ｂに取り付けて用いる。
【００６５】
さらに、横行レール１４、１４同士の連結を簡単にする連結構造２０として、例えば図８に示すように、上面位置を規制する上面規制部材２１と側面位置を規制する側面規制部材２２とをそれぞれの横行レール１４の上部フランジ１４ａとウエブ１４ｃに取り付けるようにし、２本の接続ピン２３で連結できるようにするものを用いることもできる。
【００６６】
すなわち、上面規制部材２１は、横行レール１４の上部フランジ１４ａの端部に連結方向外側に突き出して取り付けられ、突き出した部分の下面が上部フランジ１４ａの表面から上側に広がる傾斜ガイド面２１ａとされて前後に接続孔２１ｂが２つ形成してあり、この上面規制部材２１を一方の横行レール１４の端部に２つ、他方にも２つの上面規制部材２１が一方の２つの内側に位置するようにそれぞれ取り付けてある。
【００６７】
また、側面規制部材２２は、く字状に形成されて横行レール１４のウエブ１４ｃの片方の側面に連結方向に突き出して取り付けられ、突き出した部分の内側面がウエブ１４ｃの表面から外側に広がるガイド面２２ａとしてあり、この側面規制部材２２を一方の横行レール１４のウエブ１４ｃの端部の一方側に、他方にも側面規制部材２２が端部の他方側に位置するようにそれぞれ取り付けてある。
【００６８】
したがって、横行レール１４,１４同士を連結する場合に、上面規制部材２１の外側に突き出した傾斜ガイド面２１ａおよび側面規制部材２２のガイド面２２ａに沿わせるように横行レール１４,１４同士を押し当てることで、上面位置および側面位置が合致するようになり、２つの接続孔２１ｂに接続ピン２３を挿入すれば、一直線状に位置合わせした状態で連結することができる。
【００６９】
このような連結治具１６、エンドストッパ１７、連結部吊りピース１８、および吊りピース１９および／または連結構造２０で所定の作業範囲に対応する長さに連結した横行レール１４には、両端部の吊りピース１９の吊り孔１９ｂに構造物Ｂの屋上などの索条支持部材１１から吊り下げたエンドレスワインダ１３に巻き掛けてあるレール用ワイヤ１２を連結する一方、他の連結部吊りピース１８および吊りピース１９の吊り孔１８ｂ,１９ｂにそれぞれレール支持ワイヤ１５ａを取り付けておく。
【００７０】
こののち、図９（ｂ）に示すように、２本のレール用ワイヤ１２をエンドレスワインダ１３で巻き上げて横行レール１４を所定高さまで上昇する。
【００７１】
この横行レール１４の上昇高さは、構造物Ｂに対して必要とされる作業用ゴンドラ２７での作業位置に対応して設定すれば良く、図９（ａ）に示すように、従来の横行レールの設置位置である構造物Ｂの上端部とするほか、図１や図９（ｂ）に示すように、構造物Ｂの途中の任意の高さに設定することもできる。
【００７２】
そして、横行レール１４を設置すべき高さで、レール支持ワイヤ１５ａを引き込み、レバーブロック１５に連結して横行レール１４を吊り下げ状態で保持する。
【００７３】
このようにして横行レール１４を仮設することで、横行レール１４の組み立てを地上で行うことができ、屋上などへの資材の運搬量を大幅に削減することができる。
【００７４】
また、構造物Ｂの屋上部分のパラペットＰなどに高さが一定でない部分があっても、その部分の影響を受けることなく、連続した横行レール１４を仮設することができ、横方向に連続して作業を行うことが可能となる。
【００７５】
このような横行レール１４には、横行レール１４に沿って走行する２台のトロリー２５２５Ａが設けられ、それぞれに横行レール１４の下部フランジの上面を走行面とする一対の車輪２５ａがウエブ１４ｃを挟んで対向するように配置され、一台のトロリー２５の車輪２５ａが減速機つきモータ２５ｂで駆動される駆動トロリーとされ、もう一台が従動トロリー２５Aとされて連結ロッド２５ｃで連結してある。
【００７６】
そして、それぞれのトロリー２５，２５Aから昇降用索条としてのゴンドラ昇降用ワイヤ２６が吊り下げられ、壁面作業台としての作業用ゴンドラ２７のエンドレスワインダ２８に巻きかけられて昇降できるようにしてある。
【００７７】
したがって、地上での横行レール１４の組み立ての後、横行レール１４に２台のトロリー２５,２５Ａを連結ロッド２５ｃで連結して装着し、それぞれのトロリー２５，２５Ａからゴンドラ昇降用ワイヤ２６を吊り下げた状態としておき、この状態で横行レール１４を所定位置に上昇し、次いで、横行レール１４の吊りピース１８,１９に予め連結しておいたレール支持ワイヤ１５ａをレバーブロック１５に連結して長さを調整することで覆う高レール１４を所定位置に設置保持する。
【００７８】
こののち、２台のトロリー２５．２５Ａから地上に垂れ下がったゴンドラ昇降用ワイヤ２６を作業用ゴンドラ２７のエンドレスワインダ２８を巻きかけて昇降できるようにする。
【００７９】
こうして横行レール１４の設置および作業用ゴンドラ２７の設置が完了し、作業用ゴンドラ２７をゴンドラ昇降用ワイヤ２６に沿って昇降させることおよび横行レール１４に沿ってトロリー２５,２５Ａを横行させることで構造物Ｂの外壁面に対して作業を行うことができる。
【００８０】
このような作業を行う構造物Ｂの外壁面の形状が平面状である場合に限らず凹凸があったり、外壁面から窪んだ窓ガラスなどに対して作業する必要がある場合があり、作業用ゴンドラ２７を外壁面に対して接近させたり、離した状態にしたい場合がある。
【００８１】
そこで、この横行式作業装置１０では、横行レール１４と外壁面との距離を調整するレール位置調整手段３０が設けてあり、例えば図１０に示すように、位置調整ワイヤ３１と、この位置調整ワイヤ３１を引き込んだり、繰り出す巻取り装置３２とで構成し、位置調整ワイヤ３１を索条支持部材１１のシーブ１１ｄと横行レール１４との間に連結しておき、標準位置より接近させて作業を行う必要がある場合には、図１０（ａ）に示すように、直接位置調整ワイヤ３１を巻取り装置３２を構成するエンドレスワインダで引き込むようにして横行レール１４を引き寄せるようにする。
【００８２】
これにより、横行レール１４を外壁面に接近させた状態に設置でき、作業用ゴンドラ２７を昇降および横行させて作業を行うことができる。
【００８３】
一方、標準位置より外壁面から離して作業を行う必要がある場合には、図１０（ｂ）に示すように、索条支持部材１１のシーブ１１ｄと横行レール１４との間に連結した位置調整ワイヤ３１を索条支持部材１１の先端に設けたシーブ１１ｆに巻き掛けるようにしておき、この位置調整ワイヤ３１を巻取り装置３２を構成するエンドレスワインダで引き込むようにして横行レール１４を引き離すようにする。
【００８４】
これにより、横行レール１４を外壁面から引き離した状態に設置でき、作業用ゴンドラ２７を昇降および横行させて作業を行うことができる。
【００８５】
なお、外壁面に対して接近させる場合のみ、あるいは引き離す場合のいずれかだけでなく、標準位置からの接近と引き離しの両方を必要とする場合には、標準位置を接近した位置、あるいは離した位置としておき、この位置から離すことおよび戻すこと、あるいは接近させることおよび戻すことを可能とすれば、何れの場合の作業にも対応することができる。
【００８６】
また、レール位置調整手段３０として、図１１に示すように、流体圧シリンダや電動シリンダなどのシリンダ３３を索条支持部材１１に隣接して設置し、ロッド３３ａを索条支持部材１１のシーブ１１ｄと横行レール１４との間に連結しておき、ロッド３３ａを伸縮することで横行レール１４の位置を外壁面に接近させたり、引き離すようにする。
【００８７】
このようなシリンダ３３でレール位置調整手段３０を構成する場合にも、同様に、横行レール１４を外壁面に接近させた状態や外壁面から引き離した状態に設置でき、作業用ゴンドラ２７を昇降および横行させて作業を行うことができる。
【００８８】
従来装置では、横行レールを構造物の上部に固定仮設することから、ゴンドラ昇降用ワイヤを引き込んだり、引き離したりして対応することになり、その状態での横行が困難となるが、この横行式作業装置１０では、横行レール１４ごと移動させるので、スムーズに横行させることも可能であり、作業能率を向上することができる。
【００８９】
次に、この横行式作業装置１０による作業時に必要とされる飛散防止および落下物防止用の養生部材として養生ネットや養生シートなどを設置する場合には、例えば図１２に示すように、横行レール１４に作業用ゴンドラ２７用の２台のトロリー２５，２５Ａの外側に従動トロリーで構成した２台の養生用トロリー３５,３５を走行可能に設置してトロリー２５,２５Ａと連結ロッドで連結して一体に走行駆動できるようにし、養生用トロリー３５,３５に吊り下げフレーム３６を取り付けて作業範囲を囲むように養生ネット３７などを取り付けるようにする。
【００９０】
そして、構造物Ｂの養生すべき範囲の下部に仮設レール３８をアンカーなどで取り付けておき、この仮設レール３８に沿って走行する養生台として養生ゴンドラ３９をトロリー２５,２５Ａ,３５,３５から吊り下げるようにし、養生ネット３７などの下端部を養生ゴンドラ３９に取り付ける。
【００９１】
このように養生ネット３７を設置することで、横行レール１４から下方の作業範囲と作業用ゴンドラ２７から作業が可能な左右の作業範囲を養生することができ、作業にともなう飛散物や落下物を防止することができ、作業用ゴンドラ２７の横行に合わせて養生ネット３７を移動して養生することで、必要最小限の範囲を養生することができる。
【００９２】
また、この横行式作業装置１０では、横行レール１４をレール用ワイヤ１２で吊り下げるようにしたので、従来と同一の索条支持部材１１を用いると、横行レール１４の設置高さが低くなり、構造物Ｂの最上部への作業が困難になる場合があるが、この場合には、図１０および図１１に示すように、索条支持部材１１の底部に高さ調整用の連結架台１１ｇを一体に連結した構造としたり、別体のものを連結することで、横行レール１４の設置高さを上げることができる。
【００９３】
さらに、上記実施の形態では、索条支持部材１１としてパラペットＰ上に載置してレール用ワイヤ１２による荷重を利用して設置状態を保持する形式のものに限らず、図１３に示すように、パラペットＰを挟むように締め付けて固定する索条支持部材１１Ａを用い、この索条支持部材１１Ａ上にレール用ワイヤ１２を巻き取り・繰り出す手段としてのエンドレスワインダ１３を取り付けて横行レール１４の吊り下げ設置を行うようにすることもできる。
【００９４】
このようにすることで、構造物Ｂの屋上部分の各種ワイヤを張るための占有空間を小さくすることができる。
【００９５】
次に、この発明の横行式作業装置の他の一実施の形態について、図１４により説明するが、すでに説明した上記実施の形態と同一部分には同一記号を記し、重複する説明は省略する。
【００９６】
この横行式作業装置では、すでに説明した横行式作業装置１０に加え、もう１組の横行式作業装置１０Ａを備えて２組の横行レール１４を吊り下げ設置して作業を行うようにしたものであり、横行式作業装置１０Ａについて、横行式作業装置１０との相違部分を主に説明する。
【００９７】
この横行式作業装置では、一組の横行式作業装置１０として、構造物ＢのパラペットＰに設置した索条支持部材１１の先端のシーブ１１ｆを介してレール用索条であるレール用ワイヤ１２で構造物Ｂから離れた外側に横行レール１４が吊り下げ設置され、この外側の横行レール１４に沿って２台のトロリー２５，２５Ａが走行可能に設置されており、これら２台のトロリー２５，２５Ａに作業装置として、それぞれゴンドラ昇降用ワイヤ２６が吊り下げられ、ゴンドラ昇降ワイヤ２６に壁面作業台である作業用ケージ２７が昇降機構であるエンドレスワインダ２８によって昇降駆動されるようになっている。
【００９８】
一方、もう一組の横行式作業装置１０Ａは、索条支持部材１１が兼用され、中間部のシーブ１１ｄからレール用索条であるレール用ワイヤ１２Ａが吊り下げられて横行レール１４Ａが連結されて構造物Ｂに近い内側に吊り下げられ、レール用索条巻き取り・繰り出し手段である図示しない別のエンドレスワインダで上昇されて設置されている。
【００９９】
なお、このレール用索条巻き取り・繰り出し手段は、横行レール１４，１４Ａの吊り上げを前後して行うようにすれば、別々に設置することなく兼用でき、一方を吊り上げて設置して保持した後、他方を吊り上げて設置して保持するようにすれば良い。
【０１００】
この内側の横行レール１４Ａには、駆動トロリー２５が横行可能に装着され、この駆動トロリー２５に作業装置として陽重装置４０が吊り下げられており、例えば作業用ケージ２７内から操作して、地上や構造物Ｂの途中から物の吊り上げができるようにしてある。
【０１０１】
したがって、例えば作業用ケージ２７で構造物Ｂの外壁パネルの取り付けを行う場合には、陽重装置４０で外壁パネルを吊り上げ、これを作業用ケージ２７内の作業者が受け取って作業したり、吊り下げ状態の外壁パネルを所定位置に移動して取り付け作業を行うことで、作業用ケージ２７の作業位置の移動と陽重装置４０の吊り上げ位置の移動を、横行レール１４，１４Ａに沿って横行させることおよび作業用ケージ２７の昇降位置と陽重装置４０での吊り上げ高さの調整で簡単に行うことができ、取り付け作業全体を能率良く行うことができる。
【０１０２】
なお、それぞれの横行レール１４，１４Ａには、複数台の作業用ケージや陽重装置を吊り下げて複数箇所で同時に作業を行うようにすることもできる。
【０１０３】
また、陽重装置と作業用ケージの配置も、陽重装置を外側に配置して作業用ケージ内に物を取り込んでから作業に用いるようにすることもできる。
【０１０４】
以上、詳細に説明したように、この横行式作業装置１０によれば、横行レール１４を固定せずにレール用ワイヤ１２で吊り下げた状態で設置するようにしたので、横行レール１４の地上での組立が可能となり、屋上などへの資材の運搬を極力減らして簡単に仮設することができ、しかも、屋上のパラペットＰなどの形状にかかわらずレール用ワイヤ１２の長さを調整することで、連続した横行レール１４を設置することができる。
【０１０５】
また、この横行式作業装置１０によれば、レール位置調整手段３０を設けたので、レール用ワイヤや１２を引き寄せたり、引き離すようにして横行レール１４の外壁面からの距離を調整することができ、円滑な横行を確保し、外壁面の凹凸への適用性を向上して能率的に作業を行うことができる。
【０１０６】
さらに、この横行式作業装置１０によれば、レール用索条巻き取り・繰り出し手段としてのエンドレスワインダ１３に代え、あるいはこのエンドレスワインダ１３と併設して横行レール１４の位置を保持するレール用索条保持手段としてのレバーブロック１５を設けたので、所定位置に吊り下げた状態の横行レール１４をレバーブロック１５で保持することができ、必要最小限のエンドレスワインダ１３を用意するだけで横行レール１４を仮設することができる。
【０１０７】
また、この横行式作業装置１０によれば、シー部に巻きかけたワイヤとの間の摩擦力を利用して接触位置を変えて引き込み・繰り出しを行うエンドレスワインダ１３でレール用ワイヤ１２の巻き取り・繰り出しを行うようにしたので、レール用ワイヤ１２を必要長さとするだけで構造物Ｂの高さに応じた容量のドラム式の巻き取り装置などを用意する必要がなく、構造物Ｂの作業範囲の高さにかかわらず簡単に構成することができる。
【０１０８】
さらに、この横行式作業装置１０によれば、横行レール１４を連結構造２０で連結することで、横行レール１４の連結部の位置合わせが互いの上面規制部材２１と側面規制部材２２を横行レール１４の端部を当てるだけででき、連結も接続ピン２３を差し込むだけで簡単にでき、横行レール１４の連結組立や分解を簡単に行うことができる。
【０１０９】
また、この横行式作業装置１０によれば、索条支持部材１１に、横行レール１４の設置高さを調整する連結架台１１ｇを一体、あるいは別体に設けることで、横行レール１４を吊り下げることによる設置位置が低くなる問題を解消して必要な全範囲に対して作業を行うことができる。
【０１１０】
さらに、この発明の横行式作業装置１０による作業方法によれば、横行レール１４の地上での組立が可能となり、屋上などへの資材の運搬を極力減らして簡単に仮設でき、しかも、屋上のパラペットなどの形状にかかわらずレール用ワイヤ１２の長さを調整することで、連続した横行レール１４を設置することができる。
【０１１１】
また、レバーブロック１５で横行レール１４の設置位置を保持することで、必要最小限のエンドレスワインダ１３を用意するだけで横行レール１４を上昇し、その位置を保持して仮設することができる。
【０１１２】
さらに、レール位置調整手段３０を設けて横行レール１４と外壁面との距離を調整するようにしたので、レール用ワイヤ１２を引き寄せたり、引き離すようにして横行レール１４の外壁面からの距離を調整することができ、外壁面の凹凸への適用性を向上して能率的に壁面作業を行うことができる。
【０１１３】
また、この横行式作業台１０と横行作業装置１０Ａを組み合わせた横行式作業装置によれば、横行レール１４，１４Ａを２本設置し、一方の横行レール１４Ａを走行するトロリー２５に陽重装置４０を吊り下げ、この陽重装置４０で吊り上げたものを、他方の横行レール１４を走行するトロリー２５，２５Ａから吊り下げた昇降用ワイヤ２６を介して昇降可能な作業用ケージ２７で受け取って作業するようにしたので、陽重装置４０で吊り上げたものを作業用ケージ２７で受け取って作業することができ、外壁材を吊り上げてそれを取り付ける作業などに利用することで、広範囲の作業を効率的に行うことができる。
【０１１４】
なお、上記実施の形態では、作業装置として吊り下げるだけの陽重装置の場合と、昇降する壁面作業台としての作業用ゴンドラを吊り下げた場合で説明したが、壁面作業台としては、ゴンドラに限らず、昇降機構をゴンドラ自体に搭載したものだけでなく、横行トロリーに搭載した作業台とすることもでき、作業装置としては、陽重装置だけでなく無人の自動作業機械などとし、これを昇降させて使用することもできる。
【０１１５】
また、各種ワイヤの巻き取り、巻き戻し手段をエンドレスワインダで構成する場合を例に説明したが、ドラムにワイヤを巻き取る形式のものを用いることもできる。
【０１１６】
さらに、作業対象となる構造物は、建物に限らず、船舶、発電所、タンク、煙突さらには橋梁などの構造物の壁面への作業に広く用いることができる。
【図面の簡単な説明】
【０１１７】
【図１】この発明の横行式作業装置を高所作業用のゴンドラに適用した一実施の形態にかかる全体の概略斜視図である。
【図２】この発明の横行式作業装置を高所作業用のゴンドラに適用した一実施の形態にかかる拡大した概略正面図である。
【図３】この発明の横行式作業装置を高所作業用のゴンドラに適用した一実施の形態にかかる横行レールの平面図、正面図および右側面図である。
【図４】この発明の横行式作業装置を高所作業用のゴンドラに適用した一実施の形態にかかる横行レールの連結部の正面図および横断面図である。
【図５】この発明の横行式作業装置を高所作業用のゴンドラに適用した一実施の形態にかかる横行レールのエンドストッパの正面図および右側面図である。
【図６】この発明の横行式作業装置を高所作業用のゴンドラに適用した一実施の形態にかかる横行レールの連結部吊りピースの平面図、正面図および横断面図である。
【図７】この発明の横行式作業装置を高所作業用のゴンドラに適用した一実施の形態にかかる横行レールの吊りピースの平面図、正面図および横断面図である。
【図８】この発明の横行式作業装置を高所作業用のゴンドラに適用した一実施の形態にかかる横行レールの他の連結部の平面図および正面図である。
【図９】この発明の横行式作業装置を高所作業用のゴンドラに適用した一実施の形態にかかる横行レールの設置状態の説明図である。
【図１０】この発明の横行式作業装置を高所作業用のゴンドラに適用した一実施の形態にかかる横行レールの位置調整手段の説明図である。
【図１１】この発明の横行式作業装置を高所作業用のゴンドラに適用した一実施の形態にかかる横行レールの他の位置調整手段の説明図である。
【図１２】この発明の横行式作業装置を高所作業用のゴンドラに適用した一実施の形態にかかる養生ネットを設置した場合の説明図である。
【図１３】この発明の横行式作業装置を高所作業用のゴンドラに適用した一実施の形態にかかる他の索条支持部材の説明図である。
【図１４】この発明の横行式作業装置を高所作業用のゴンドラおよび陽重装置を組み合わせた場合に適用した他の一実施の形態にかかる拡大した概略正面図である。
【図１５】従来の横行式のゴンドラの横行レールの設置状態を説明する側面図および平面図である。
【符号の説明】
【０１１８】
Ｂ                構造物
Ｐ                パラペット
１０，１０Ａ      横行式作業装置
１１、１１Ａ      索条支持部材
１１ａ            支持板
１１ｂ            アーム部
１１ｃ            支柱部
１１ｄ            シーブ
１１ｅ            シーブ
１１ｆ            シーブ
１１ｇ            連結架台
１２              レール用ワイヤ（レール用索条）
１３              エンドレスワインダ（レール用索条巻取り・繰り出し手段）
１３ａ            固定治具
１３ｂ            固定ワイヤ
１４，１４Ａ      横行レール
１４ａ            上部フランジ
１４ｂ            吊りピース取付孔
１４ｃ            ウエブ
１４ｄ            連結用孔
１５              レバーブロック（レール用索条保持手段）
１５ａ            レール支持ワイヤ
１６              連結治具
１６ａ            水平当て板
１６ｂ            側面当て板
１７              エンドストッパ
１７ａ            ウエブ当て板
１７ｂ            端面閉塞板
１８              連結部吊りピース
１９              吊りピース
１８ａ，１９ａ    連結用水平当て板
１８ｂ，１９ｂ    吊り孔
１８ｃ，１９ｃ    吊り上げ板
１８ｄ，１９ｄ    補強板
２０              連結構造
２１              上面規制部材
２１ａ            傾斜ガイド面
２１ｂ            接続孔
２２              側面規制部材
２２ａ            ガイド面
２３              接続ピン
２５              駆動トロリー（トロリー）
２５Ａ            従動トロリー（トロリー）
２５ａ            車輪
２５ｂ            減速機つきモータ
２５ｃ            連結ロッド
２６              ゴンドラ昇降用ワイヤ（昇降用索条）
２７              作業用ゴンドラ（作業装置（壁面作業台））
２８              エンドレスワインダ（昇降手段）
３０              レール位置調整手段
３１              位置調整ワイヤ
３２              巻取り装置
３３              シリンダ
３３ａ            ロッド
３５              養生用トロリー
３６              吊り下げフレーム
３７              養生ネット
３８              仮設レール
３９              養生ゴンドラ
４０              陽重装置（作業装置）
【図１】
2006233486.tif 000003
【図２】
2006233486.tif 000004
【図３】
2006233486.tif 000005
【図４】
2006233486.tif 000006
【図５】
2006233486.tif 000007
【図６】
2006233486.tif 000008
【図７】
2006233486.tif 000009
【図８】
2006233486.tif 000010
【図９】
2006233486.tif 000011
【図１０】
2006233486.tif 000012
【図１１】
2006233486.tif 000013
【図１２】
2006233486.tif 000014
【図１３】
2006233486.tif 000015
【図１４】
2006233486.tif 000016
【図１５】
2006233486.tif 000017